【事件の表示】
　特願２００５−２３８７３２「適応変調および符号化技術のための動的なチャネル品質測定手順」拒絶査定不服審判事件〔平成１８年　２月　２日出願公開、特開２００６−　３３８７６〕について、次のとおり審決する。
【結　論】
　本件審判の請求は、成り立たない。
【理　由】
第１　手続の経緯
　
　本願は，平成１４年４月１５日（優先権主張　２００１年５月１４日（米国（ＵＳ））　同年１２月２１日（米国（ＵＳ）））を国際出願日とする特願２００２−５９０６９０号の一部を平成１７年８月１９日に新たな特許出願としたものであって，平成２０年１０月２９日付けで拒絶の理由が通知され，平成２１年２月２７日付けで意見書とともに手続補正書の提出がなされ，同年４月１５日付けで拒絶査定され，同年８月１７日に拒絶査定不服審判の請求がなされるとともに，同日付けで手続補正書の提出がなされたものである。
　
　
第２　本願発明
　
１．平成２１年８月１７日付け手続補正の概要
　平成２１年８月１７日付け手続補正（以下「本件補正」という。）は，
　同年２月２７日付け手続補正書の特許請求の範囲（以下「補正前特許請求の範囲」という。）に記載された次の事項
　
　　【請求項１】
　オーバヘッドシグナリングおよび無線リソース利用を決定する方法において、
　複数のユーザ装置移動端末（ＵＥ）の第１のサブセットを決定するステップであって、前記第１のサブセットのＵＥに対して保留中のダウンリンク送信があることと、
　前記複数のＵＥの第２のサブセットを決定するステップであって、前記第２のサブセットのＵＥに対しては保留中のダウンリンク送信がないことと、
　前記第１のサブセットにおける前記ＵＥの各々へ要求を送信して、チャネル品質（ＣＱ）測定を行なうステップと、
　前記ＣＱ測定を行なう前記要求に応答して、前記第１のサブセットにおける前記ＵＥの各々からＣＱ測定結果を受信するステップと
　を備えることを特徴とする方法。
　　【請求項２】
　前記保留中のダウンリンク送信に関連付けられたダウンリンクデータを受信するステップと、
　前記ＣＱ測定結果に応答して、前記第１のサブセットにおける前記ＵＥの各々へ無線リソースの割当をシグナリングするステップと、
　前記無線リソースの割当に従って、前記第１のサブセットにおける前記ＵＥへ前記ダウンリンクデータを送信するステップと
　をさらに備えることを特徴とする請求項１に記載の方法。
　　【請求項３】
　無線リソースの異なる割り当てが、前記第１のサブセットにおける前記ＵＥの異なるＵＥへシグナリングされることを特徴とする請求項２に記載の方法。
　　【請求項４】
　前記ＣＱ測定を行なう要求は、前記ダウンリンクデータを受信することに応答して、前記第１のサブセットにおける前記ＵＥの各々へ送信されることを特徴とする請求項２に記載の方法。
　　【請求項５】
　前記無線リソースの割当は、少なくとも符号化レートおよび変調タイプの１つを含むことを特徴とする請求項２に記載の方法。
　　【請求項６】
　前記第１のサブセットにおける前記ＵＥのどれが無線リソースを最大限に利用することになるかを決定するステップをさらに備えることを特徴とする請求項２に記載の方法。
　　【請求項７】
　前記第１のサブセットにおける前記ＵＥが前記ダウンリンクデータを受信するのに使用しなければならない特定のタイムスロットを決定するステップをさらに備えることを特徴とする請求項２に記載の方法。
　　【請求項８】
　前記第１のサブセットにける前記ＵＥは、前記受信されたダウンリンクデータのすべてが前記第１のサブセットにおける前記ＵＥへ送られるまで、ＣＱ測定を実行することを特徴とする請求項２に記載の方法。
　　【請求項９】
　前記ＣＱ測定を行なう要求の各々は、共通制御チャネルまたは専用制御チャネル上を送信されることを特徴とする請求項２に記載の方法。
　　【請求項１０】
　前記ＣＱ測定を行なう要求の各々は、前記要求を受信するＵＥ前記がＣＱ測定を実行するべき少なくとも１つの特定の無線リソースを示すことを特徴とする請求項２に記載の方法。
　　【請求項１１】
　オーバヘッドシグナリングおよび無線リソース利用を決定する方法において、
　ダウンリンクデータを受信するステップと、
　チャネル品質（ＣＱ）測定を行なう要求を送信するステップと、
　前記要求に応答して、ＣＱ測定結果を受信するステップと、
　前記受信されたＣＱ測定結果に応答して、無線リソースの割当をシグナリングするステップと、
　前記無線リソースの割当に従って、前記受信されたダウンリンクデータを送信するステップと
　を備えることを特徴とする方法。
　　【請求項１２】
　前記無線リソースの割当は、少なくとも符号化レートおよび変調タイプの１つを含むことを特徴とする請求項１１に記載の方法。
　　【請求項１３】
　前記ＣＱ測定を行なう要求の各々は、共通制御チャネルまたは専用制御チャネル上を送信されることを特徴とする請求項１１に記載の方法。
　　【請求項１４】
　前記ＣＱ測定を行なう要求は、前記ＣＱ測定が実行されるべき少なくとも１つの特定の無線リソースを示すことを特徴とする請求項１１に記載の方法。
　　【請求項１５】
　ダウンリンクデータを受信するように構成された受信機と、
　チャネル品質（ＣＱ）測定を行なう要求を送信するよう構成された送信機とを備え、
　前記受信機は、前記要求に応答して、ＣＱ測定結果を受信するようさらに構成されており、
　前記送信機は、前記ＣＱ測定結果に応答して、無線リソースの割当をシグナリングし、および前記無線リソースの割当に従って前記受信されたダウンリンクデータを送信するようさらに構成されていること
　を特徴とする基地局。
　　【請求項１６】
　前記無線リソースの割当は、少なくとも符号化レートおよび変調タイプの１つを含むことを特徴とする請求項１５に記載の基地局。
　　【請求項１７】
　前記ＣＱ測定を行なう要求の各々は、共通制御チャネルまたは専用制御チャネル上を送信されることを特徴とする請求項１５に記載の基地局。
　　【請求項１８】
　前記ＣＱ測定を行なう要求は、ＣＱ測定が実行されるべき少なくとも１つの特定の無線リソースを示すことを特徴とする請求項１５に記載の基地局。
　　【請求項１９】
　オーバヘッドシグナリングおよび無線リソース利用を決定する方法において、
　チャネル品質（ＣＱ）測定を行なう要求を受信するステップであって、前記要求は周期的ＣＱ測定ではないことと、
　前記要求に応答して、ＣＱ測定結果を送信するステップと、
　前記送信されたＣＱ測定結果に応答して、無線リソースの割当を受信するステップと、
　前記無線リソースの割当に従って、前記受信されたダウンリンクデータを受信するステップと
　を備えることを特徴とする方法。
　　【請求項２０】
　前記無線リソースの割当は、少なくとも符号化レートおよび変調タイプの１つを含むことを特徴とする請求項１９に記載の方法。
　　【請求項２１】
　前記ＣＱ測定を行なう要求は、共通制御チャネルまたは専用制御チャネル上を送信されることを特徴とする請求項１９に記載の方法。
　　【請求項２２】
　前記ＣＱ測定を行なう要求は、前記ＣＱ測定が実行されるべき少なくとも１つの特定の無線リソースを示すことを特徴とする請求項１９に記載の方法。
　　【請求項２３】
　チャネル品質（ＣＱ）測定を行なう要求を受信するよう構成された受信機と、
　前記要求に応答して、ＣＱ測定結果を送信するようさらに構成された送信機とを備え、
　前記受信機は、前記送信されたＣＱ測定結果に応答して、無線リソースの割当を受信し、および前記無線リソースの割当に従ってダウンリンクデータを受信するようさらに構成されていること
　を特徴とするユーザ装置移動端末（ＵＥ）。
　　【請求項２４】
　前記無線リソースの割当は、少なくとも符号化レートおよび変調タイプの１つを含むことを特徴とする請求項２３に記載のＵＥ。
　　【請求項２５】
　前記ＣＱ測定を行なう要求の各々は、共通制御チャネルまたは専用制御チャネル上を送信されることを特徴とする請求項２３に記載のＵＥ。
　　【請求項２６】
　前記ＣＱ測定を行なう要求は、前記ＣＱ測定が実行されるべき少なくとも１つの特定の無線リソースを示すことを特徴とする請求項２３に記載のＵＥ。
　
を
　
　　【請求項１】
　オーバヘッドシグナリングおよび無線リソース利用を決定する方法において、
　保留中のダウンリンク送信が存在している、複数のユーザ装置移動端末（ＵＥ）の第１のサブセットを決定するステップと、
　保留中のダウンリンク送信が存在していない、前記複数のＵＥの第２のサブセットを決定するステップと、
　前記第１のサブセットにおける前記ＵＥの各々へ要求を送信して、チャネル品質（ＣＱ）測定を行なうステップと、
　前記ＣＱ測定を行なう前記要求に応答して、前記第１のサブセットにおける前記ＵＥの各々からＣＱ測定結果を受信するステップと
　を備えることを特徴とする方法。
　　【請求項２】
　前記保留中のダウンリンク送信に関連付けられたダウンリンクデータを受信するステップと、
　前記ＣＱ測定結果に応答して、前記第１のサブセットにおける前記ＵＥの各々へ無線リソースの割当をシグナリングするステップと、
　前記無線リソースの割当に従って、前記第１のサブセットにおける前記ＵＥへ前記ダウンリンクデータを送信するステップと
　をさらに備えることを特徴とする請求項１に記載の方法。
　　【請求項３】
　無線リソースの異なる割り当てが、前記第１のサブセットにおける前記ＵＥの異なるものへシグナリングされることを特徴とする請求項２に記載の方法。
　　【請求項４】
　前記ＣＱ測定を行なう要求は、前記ダウンリンクデータを受信することに応答して、前記第１のサブセットにおける前記ＵＥの各々へ送信されることを特徴とする請求項２に記載の方法。
　　【請求項５】
　前記無線リソースの割当は、符号化レートおよび変調タイプの少なくとも１つを含むことを特徴とする請求項２に記載の方法。
　　【請求項６】
　前記第１のサブセットにおける前記ＵＥのどれが無線リソースを最大限に利用することになるかを決定するステップをさらに備えることを特徴とする請求項２に記載の方法。
　　【請求項７】
　前記第１のサブセットにおける前記ＵＥが前記ダウンリンクデータを受信するのに使用しなけれなばらない特定のタイムスロットを決定するステップをさらに備えることを特徴とする請求項２に記載の方法。
　　【請求項８】
　前記第１のサブセットにける前記ＵＥは、前記受信されたダウンリンクデータのすべてが前記第１のサブセットにおける前記ＵＥへ送られるまで、ＣＱ測定を実行することを特徴とする請求項２に記載の方法。
　　【請求項９】
　前記ＣＱ測定を行なう要求の各々は、共通制御チャネルまたは専用制御チャネル上を送信されることを特徴とする請求項２に記載の方法。
　　【請求項１０】
　前記ＣＱ測定を行なう要求の各々は、前記要求を受信するＵＥが前記ＣＱ測定を実行するべき少なくとも１つの特定の無線リソースを示すことを特徴とする請求項１に記載の方法。
　　【請求項１１】
　オーバヘッドシグナリングおよび無線リソース利用を決定する方法において、
　ダウンリンクデータを受信するステップと、
　チャネル品質（ＣＱ）測定を行なう要求を送信するステップと、
　前記要求に応答して、ＣＱ測定結果を受信するステップと、
　前記受信されたＣＱ測定結果に応答して、無線リソースの割当をシグナリングするステップと、
　前記無線リソースの割当に従って、前記受信されたダウンリンクデータを送信するステップと
　を備えることを特徴とする方法。
　　【請求項１２】
　前記無線リソースの割当は、符号化レートおよび変調タイプの少なくとも１つを含むことを特徴とする請求項１１に記載の方法。
　　【請求項１３】
　前記ＣＱ測定を行なう要求の各々は、共通制御チャネルまたは専用制御チャネル上を送信されることを特徴とする請求項１１に記載の方法。
　　【請求項１４】
　前記ＣＱ測定を行なう要求は、前記ＣＱ測定が実行されるべき少なくとも１つの特定の無線リソースを示すことを特徴とする請求項１１に記載の方法。
　　【請求項１５】
　ダウンリンクデータを受信するように構成された受信機と、
　チャネル品質（ＣＱ）測定を行なう要求を送信するよう構成された送信機とを備え、
　前記受信機は、前記要求に応答して、ＣＱ測定結果を受信するようさらに構成されており、
　前記送信機は、前記ＣＱ測定結果に応答して、無線リソースの割当をシグナリングし、および前記無線リソースの割当に従って前記受信されたダウンリンクデータを送信するようさらに構成されていること
　を特徴とする基地局。
　　【請求項１６】
　前記無線リソースの割当は、符号化レートおよび変調タイプの少なくとも１つを含むことを特徴とする請求項１５に記載の基地局。
　　【請求項１７】
　前記ＣＱ測定を行なう要求の各々は、共通制御チャネルまたは専用制御チャネル上を送信されることを特徴とする請求項１５に記載の基地局。
　　【請求項１８】
　前記ＣＱ測定を行なう要求は、前記ＣＱ測定が実行されるべき少なくとも１つの特定の無線リソースを示すことを特徴とする請求項１５に記載の基地局。
　　【請求項１９】
　オーバヘッドシグナリングおよび無線リソース利用を決定する方法において、
　チャネル品質（ＣＱ）測定報告を提供する要求を受信するステップと、
　前記要求に応答して、ＣＱ測定報告を送信するステップと、
　前記送信されたＣＱ測定報告に基づいた、無線リソースの割当を受信するステップと、
　前記無線リソースの割当に従って、ダウンリンクデータを受信するステップと
　を備えることを特徴とする方法。
　　【請求項２０】
　前記無線リソースの割当は、符号化レートおよび変調タイプの少なくとも１つを含むことを特徴とする請求項１９に記載の方法。
　　【請求項２１】
　前記ＣＱ測定報告を提供する要求は、共通制御チャネルまたは専用制御チャネル上を受信されることを特徴とする請求項１９に記載の方法。
　　【請求項２２】
　前記ＣＱ測定報告を提供する要求は、前記ＣＱ測定が基づくべき少なくとも１つの特定の無線リソースを示すことを特徴とする請求項１９に記載の方法。
　　【請求項２３】
　チャネル品質（ＣＱ）測定報告を提供する要求を受信するよう構成された受信機と、
　前記要求に応答して、ＣＱ測定報告を送信するよう構成された送信機とを備え、
　前記受信機は、前記送信されたＣＱ測定報告に基づいた、無線リソースの割当を受信し、および前記無線リソースの割当に従ってダウンリンクデータを受信するようさらに構成されていること
　を特徴とするユーザ装置移動端末（ＵＥ）。
　　【請求項２４】
　前記無線リソースの割当は、符号化レートおよび変調タイプの少なくとも１つを含むことを特徴とする請求項２３に記載のＵＥ。
　　【請求項２５】
　前記ＣＱ測定報告を提供する要求の各々は、共通制御チャネルまたは専用制御チャネル上を送信されることを特徴とする請求項２３に記載のＵＥ。
　　【請求項２６】
　前記ＣＱ測定報告を提供する要求は、前記ＣＱ測定が基づくべき少なくとも１つの無線リソースを示すことを特徴とする請求項２３に記載のＵＥ。
　
と変更することを含むものである。
（当審注　上記において，請求人が付与した下線は省略。）
　
　
２．本願発明
　本件補正によって，補正前特許請求の範囲の請求項１５の記載に，変更はない。
　よって，請求項１５に係る発明（以下「本願発明」という。）は，平成２１年８月１７日付け手続補正書の特許請求の範囲の請求項１５に記載された事項により特定される次のとおりのものである。
　
　　【請求項１５】
　ダウンリンクデータを受信するように構成された受信機と、
　チャネル品質（ＣＱ）測定を行なう要求を送信するよう構成された送信機とを備え、
　前記受信機は、前記要求に応答して、ＣＱ測定結果を受信するようさらに構成されており、
　前記送信機は、前記ＣＱ測定結果に応答して、無線リソースの割当をシグナリングし、および前記無線リソースの割当に従って前記受信されたダウンリンクデータを送信するようさらに構成されていること
　を特徴とする基地局。
　
　
第３　引用発明
　
１．引用例
　原査定の理由に引用された国際公開第００／５１３９０号（２０００年８月３１日国際公開。以下「引用例」という。）には，図面とともに次の事項が記載されている。
　なお，以下において「当審訳」は引用例に対応する日本語特許公報　特表２００２−５３８６９７号公報（平成１４年１１月１２日公表。以下「対応日本語公報」という。）の記載による。
　
（１）
FIELD OF THE INVENTION 
The present invention relates generally to the field of mobile radio communications and more specifically to a method and apparatus for allocating radio channels to users in a mobile radio system. 
（国際公開第１ページ第３〜６行）
（当審訳
発明の分野
　本発明は一般的には移動体無線通信の分野に関し、特に、移動無線システムにおいてユーザに無線チャネルを割当てる方法及び装置に関する。（対応日本語公報第６ページ【０００１】））
　
（２）
The objects of the invention are further met by a system for mobile radio communication, or more simply a mobile radio system, having a plurality of radio channels of which some are in use for existing radio connections, where the radio channels not in use are radio channels available for allocation to a mobile station for communication in the mobile radio system, the mobile station being capable of measuring the radio quality of radio channels. The sys- tem comprises radio resource administrating means for keeping a list of candidate radio channels for the allocation and for determining the radio channel to be allocated, interfer- ence supervising means for estimating the impact a radio connection on a certain candidate radio channel would have on existing radio connections and means for exchanging informa- tion between the mobile station and the radio resource administrating means. 
（国際公開第３ページ第６〜１５行）
（当審訳
　本発明の目的はさらに、いくつかの無線チャネルが現存する無線接続のために用いられ、用いられていない無線チャネルが移動無線システムにおける移動局との通信に割当てるのに利用可能である複数の無線チャネルを有し、その移動局は無線チャネルの無線品質を測定可能である移動無線通信のシステム、或いは、より単純には移動無線システムによって対処される。そのシステムは、割当てのために無線チャネルの候補のリストを保持し、割当てられる無線チャネルを決定する無線資源管理手段と、ある無線チャネルの候補についての無線接続が有する、現存する無線接続への影響を評価する干渉監視手段と、移動局と無線資源管理手段との間で情報を交換する手段とを有する。（対応日本語公報第８ページ【００１０】））
　
（３）
DETAILED DESCRIPTION
The general architecture of a mobile radio network 100 is schematically illustrated in Fig. 1.
　
Mobile radio network 100 provides radio communication to users of Mobile Stations (MS) within a limited geographical region known as the coverage area 105 of the mobile radio network 100. Several Mobile Stations (MS) can be situated within the coverage area 105 of the mobile radio network 100. In Fig. 1, MS 110 is shown to communicate within the mobile radio network via a Base Transceiver Station (BTS) 120 using a radio link 115. Several
BTSs belonging to the mobile radio network may be connected together via a Base Station
Controller (BSC) 125. Each BTS has its own radio coverage area 130 which may be partially overlapping with the coverage areas of neighbouring BTSs. The BSC 125 is in turn connected to a core network 135 which controls calls to and from other networks such as
Public Switched Telephony Networks (PSTN), Integrated Services Digital Networks (ISDN), other Public Land Mobile Networks (PLMNs), the Internet etc.
　
The geographical area within which a BTS 120 takes radio traffic is called the cell of the
BTS. The cell is not a static area, but its borders will vary with time, depending on the activities of the surrounding BTSs. In a Time Division Multiple Access (TDMA) system such as the ETSI standard for circuit switched mobile communication, Global System for Mobile
Communications (GSM), or the ETSI standard for mobile packet data communication,
General Packet Radio Service (GPRS), each BTS transmits on several separated radio frequencies. To each BTS frequency (downlink frequency) there is a corresponding frequency which is used by the MS (uplink frequency). Each frequency is divided into several time slots which can be used by different MSs. One such time slot is referred to as a physical channel, and the information received on a time slot is referred to as a burst. For some services, such as GPRS or High Speed Circuit Switched Data (HSCSD), a MS can use more than one physical channel for a single connection, or fractions of a physical channel. In the following description, a radio connection is said to utilize a radio channel, meaning any number of time slots on the same carrier frequency in a TDMA system. Other services which the mobile radio network may provide could be different speech services, normal
speed circuit switched data, positioning services, short message services (SMS) etc. 
　
As mentioned briefly above, a MS 110 is normally within the radio coverage area 130 of several BTSs 120. Logic which is used for determining to which downlink channel a MS should listen when in active mode may be contained in the BSC 125. The MS 110 continually makes measurements, in both idle and active mode, on the surrounding BTSs'signals.
　
In idle mode, the MS 110 uses the measurement results to decide which channel to camp on according to known technique. In active mode, and in case of a call set-up, the measurement results are sent on a control channel to the BSC 125, which uses the results in the determination process. Since there is not necessarily a simple connection between the strength of a signal and the corresponding quality the signal would provide a user, the signal quality may be measured as well as the signal strength. The quality measurement can be performed in a number of different ways, some of which are described below.
　
When a radio channel is allocated to a MS 110, some of the already ongoing radio connections in the mobile radio network 110 will inevitably be affected. Some connections maintained by other BTSs will be disturbed by the interference effects of the allocated radio signal. Connections on the same radio carrier as the allocated channel, especially in a packet data service such as GPRS, will be affected, since there will be less available bandwidth for each connection. Allocating a radio resource will also influence the freedom of action of the system within the near future. For example, in a European GSM network, if a radio channel within the 900 MHz frequency band is allocated to a dual mode terminal which can transmit also in the 1800 MHz frequency band, even when there are 1800 MHz channels available, there will be less possibility to serve single mode terminals which can only transmit in the 900 MHz band.
　
To achieve the best over all performance of the cellular system, such negative influence on on-going traffic and future possibilities could be considered when making the decision about which resource to allocate to a mobile station 110, as well as the radio-quality-to-be on the channel to be allocated. An example of the concept of the method of the invention is shown in Fig. 2. The method described in the flow chart in Fig. 2 could be used either for assignment of a channel for a new radio connection during call set-up, or used repeatedly for continuous quality update of already existing connections with a possible hand-over in mind, so called locating. In case of assignment of channel for a new radio connection, the request for such a channel could be made either by the MS 110 or by the core network 135. 
　
In step 210 of Fig. 2, a list of candidate radio channels is provided to the MS 110. This list could be acquired by referring to mobile held information (e. g. frequency lists in a GSM mobile), or sent to MS 110 by the mobile radio network, which could select the candidate channels depending on, e. g., the geographical position of the MS 110, the properties of the
MS 110 and the load on the nearby BTSs 120. For example, if a candidate GPRS radio channel cannot provide a gross bandwidth (i. e. bandwidth including bandwidth used for so called link adaption, where control bits used for error detection are included in the transmitted information) larger than the net bandwidth (i. e. information carrying bandwidth) needed for the requested service, this channel could be excluded from the list already at this stage. The list could typically contain 3-6 different candidate channels. Too many candidate channels would overload the processing capacity of the MS I 10, and too few candidates lowers the probability of finding the most suitable channel. If the method is used for locating, the presently serving radio channel could be included in the candidate list.
　
In an embodiment of the invention shown in Fig. 2, all investigation steps are performed for a candidate channel before the investigation of the next candidate channel in the list is started. One could also choose to perform one of the investigation steps of Fig. 2 repeatedly for all candidate channels before the next step is entered.
　
In step 215 of Fig. 2, it is checked whether there are any candidate channels on the list that have not yet been investigated, or if the list is finished. If the list is not finished, then the next channel in the list is chosen in step 220. In step 225, the MS 110 performs measurements of the radio quality of the candidate channels according to a quality measurement scheme of which examples will be given below. The measurement result may then be sent to the mobile radio network 100. In step 230, the mobile radio network 100 makes a comparison between the estimated quality of a possible connection and the quality needed for the requested service. In this step, information about what fraction of the candidate channel can be set aside for the requested service without lowering the quality of the existing connections on the same carrier below what is acceptable may also be taken into the consideration, when appropriate. Another possibility is to provide the MS 110 with information about the
requested quality and let the MS 110 make the comparison in step 230. In step 235, it is
determined whether the measured quality would be sufficient for the requested service. If not, step 245 is entered, where the quality measurement result is entered into a Call Record
Register (CRR) 400. If the result of the comparison in step 235 is that the quality would be sufficient, then step 240 is entered.
　
In step 240, the impact of the interference effects of a radio connection on the candidate channels on already existing connections in other cells is estimated. Such impact is mainly caused by interference effects on connections using the same frequency. The interference estimation can be made in several different ways, of which the easiest is to study a topographical map and compare it with the cell plan. A more sophisticated method, and also more accurate, is to use a cell-to-cell interdependency matrix, a method which is described in more detail below. When step 240 is completed, step 245 is entered and the results of the quality measurement and the impact estimation are registered into the CRR 400.
　
In step 250, the information gathered in the proceeding steps is used in order to determine which radio channel, if any, shall be allocated to the MS 110. Considerations made are e. g. that the allocated channel should provide the MS 110 with sufficient radio quality and information carrying capacity for the requested service and the impact of the new connection should not reduce the quality of any of the existing connections below what is acceptable.
Using resources which are better than what is necessary could also be avoided, e. g. by not utilizing the best quality channel to a speech connection if there are other channels which would give sufficient quality, since the quality of the speech connection will not benefit from a radio link quality which is better than necessary. Hence the best quality channel could be saved for a near-future request for a data connection. In step 250, the decision may be that there is no suitable channel in the list to allocate to the MS 110. Another list could then be provided to the MS and the procedure of Fig. 2 could be repeated, or the MS 110 could be refused access to the mobile radio network. Depending on the priority of the requested service compared to the already existing connections, the decision could also be to close one of the existing connections in favor of MS 110.
　
The steps presented in Fig. 2 do not have to be performed in the exact order presented in the figure. As mentioned above, performing one step for all candidate channels at a time in
stead of all steps for one candidate would be a possible embodiment. Further, the registration step 245 could partly be performed after the quality measurement step 225, partly after the comparison step 235 and partly after the impact estimation step 245. One could also perform the impact estimation step 240 before the quality measurement step 225, etc.
（国際公開公報第６ページ第１行〜第１０ページ第２行）
（当審訳
詳細な説明
　移動無線ネットワーク１００の一般的なアーキテクチュアが図式的に図１には図示されている。移動無線ネットワーク１００は、移動無線ネットワーク１００のカバレッジ領域１０５として知られる限定的な地理的な領域内で移動局（ＭＳ）のユーザに無線通信を提供する。いくつかの移動局（ＭＳ）は移動無線ネットワーク１００のカバレッジ領域１０５の中に位置している。図１において、ＭＳ１１０は無線リンク１１５を用いて無線基地局（ＢＴＳ）１２０を介してその移動無線ネットワーク内で通信を行うように示されている。その移動無線ネットワークに属するいくつかのＢＴＳは、基地局制御局（ＢＳＣ）１２５を介して共に接続されても良い。各ＢＴＳは、隣接するＢＴＳのカバレッジ領域と部分的には重複しているかもしれない自分自身の無線カバレッジ領域をもっている。次に、ＢＳＣ１２５はコアネットワーク１３５に接続され、それは、例えば、公衆交換電話網（ＰＳＴＮ）、統合サービスデジタル網（ＩＳＤＮ）、他の公衆陸上移動通信網（ＰＬＭＮ）、インターネットなどのような他のネットワークへの、また、他のネットワークからの呼を制御する。
　
　ＢＴＳ１２０が無線トラフィックをうけもつ地理的な領域は、ＢＴＳのセルと呼ばれる。そのセルは静的な領域ではなく、その境界は周辺のＢＴＳの活動度に依存して時間とともに変化する。回路交換移動通信についてのＥＴＳＩ標準、汎欧州デジタル移動電話方式（ＧＳＭ）、移動体パケットデータ通信のＥＴＳＩ標準、或いは、汎用パケット無線サービス（ＧＰＲＳ）のような時分割多元接続（ＴＤＭＡ）システムにおいて、各ＢＴＳはいくつかの分離した無線周波数で送信を行う。各ＢＴＳの周波数（ダウンリンクの周波数）に対して、ＭＳによって用いられる対応する周波数（アップリンク周波数）がある。各周波数はいくつかのタイムスロットに分割され、それらは異なるＭＳで用いられる。１つのそのようなタイムスロットは物理チャネルとして言及され、タイムスロットで受信される情報はバーストとして言及される。ＧＰＲＳや高速回路交換データ（ＨＳＣＳＤ）のようなあるサービスに関し、ＭＳは１つの接続に１つ以上の物理チャネル、或いは、物理チャネルの一部分を用いる。次の説明において、無線接続は、ＴＤＭＡシステムにおける同じ搬送周波数のどの番号のタイムスロットでも意味する無線チャネルを用いることを言う。移動無線ネットワークが提供できる他のサービスには、異なる音声サービス、通常速度の回路交換データ、位置決めサービス、ショートメッセージサービス（ＳＭＳ）などがある。
　
　簡単に上述したように、ＭＳ１１０は普通、いくつかのＢＴＳ１２０の無線カバレッジ領域１３０の中にある。ＭＳがどのダウンリンクチャネルを聴取すべきなのかを決定するために用いられるロジックはアクティブモードにあるとき、ＢＳＣ１２５に含まれても良い。ＭＳ１１０は連続的にアイドルモードとアクティブモードの両方で、周辺のＢＴＳの信号についての測定を行う。アイドルモードでは、ＭＳ１１０は測定結果を用いて公知の技術に従ってどのチャネルを用いるべきなのかを決定する。アクティブモードでは、呼のセットアップの場合、測定結果は制御チャネルでＢＳＣ１２５に送られて、ＢＳＣ１２５ではその結果を決定プロセスにおいて使用する。信号強度とその信号がユーザに提供する対応する品質との間には単純な関連が必ずしもあるわけではないので、その信号品質とともにその信号強度もまた測定される。その品質測定は多くの異なる方法で実行され、そのいくつかについて以下に説明する。
　
　無線チャネルがＭＳ１１０に割り当てられるとき、移動無線ネットワーク１１０において既に用いられている無線接続のいくつかは影響を受けるのを避けられない。他のＢＴＳによって維持されるいくつかの接続は、割り当てられた無線信号の干渉の影響によって乱される。その割り当てられたチャネルと同じ無線搬送波の接続は、特に、ＧＰＲＳのようなパケットデータサービスにおいて影響を受ける。なぜなら、各接続に対して利用可能なバンド幅がさほど大きくないからである。無線資源の割り当てはまた、近い将来でのシステムの活動の自由度に影響を与えるであろう。例えば、欧州のＧＳＭネットワークにおいて、もし、９００ＭＨｚ周波数帯内にある無線チャネルが、１８００ＭＨｚ周波数帯でも送信可能なデュアルモード端末に割当てられるなら、１８００ＭＨｚチャネルが利用可能なときでさえも、９００ＭＨｚ帯でのみ送信可能なシングルモード端末にサービスを行う可能性はより小さくなるであろう。
　
　セルラシステムの全ての性能にわたり最上のものを達成するために、どの資源を移動局１１０に割当てるのかとともに、その割当てられるチャネルについての無線品質についての決定を行うときに、進行中のトラフィックや将来の可能性についての悪い影響が考慮される。本発明の方法の概念の例が図２に示されている。図２のフローチャートで説明される方法は、呼のセットアップ中に新しい無線接続についてのチャネル割当てに用いられるか、或いは、可能性のあるハンドオーバ、所謂、ロケーティングを考慮して、既存の接続の連続的な品質の更新のために繰り返し用いられる。新しい無線接続のチャネル割当ての場合、そのようなチャネル要求が、ＭＳ１１０或いはコアネットワーク１３５によってなされる。
　
　図２のステップ２１０では、無線チャネルの候補のリストがＭＳ１１０に提供される。このリストは移動体が保持する情報（例えば、ＧＳＭ移動体における周波数リスト）を参照することによって獲得されたり、或いは移動無線ネットワークによってＭＳ１１０に送信される。その移動無線ネットワークは、例えば、ＭＳ１１０の地理的な位置、ＭＳ１１０の特性、及び近接のＢＴＳ１２０の負荷に依存してチャネルの候補を選択する。例えば、もし、ＧＰＲＳ無線チャネルの候補が、要求されるサービスに必要とされる正味のバンド幅（即ち、情報搬送バンド幅）より大きな総バンド幅（即ち、誤り検出のために用いられる制御ビットが送信情報に含まれている、所謂リンク適合に用いられるバンド幅を含むバンド幅）を提供できないなら、このチャネルはこの段階で既にそのリストから除外される。このリストは通常は３〜６の異なるチャネルの候補を含むことができる。余りにも多くのチャネルの候補はＭＳ１１０の処理能力には過大な負荷となり、余りにも少ない候補は最適なチャネルを見出す可能性を低めてしまう。もし、その方法がロケーティングのために用いられるなら、現在サービスを行っている無線チャネルは、候補のリストに含められる。
　
　図２に示される本発明の実施形態において、全ての調査ステップは、そのリストの次のチャネルの候補の調査が開始される前にチャネルの候補に対して実行される。ある者は、次のステップに入る前に全てのチャネル候補について図２の調査ステップの１つを繰返し実行することを選択することもできる。
　
　図２のステップ２１５において、まだ調査されていないリスト上のチャネルの候補があるかどうかが、或いは、そのリストの調査が終了したかかどうかがチェックされる。もし、そのリストが終了していないなら、そのリストの次のチャネルがステップ２２０で選択される。ステップ２２５では、ＭＳ１１０は、その例を後述する品質測定方式に従って、チャネル候補の無線品質の測定を実行する。その測定結果はそれから移動無線ネットワーク１００に送信される。ステップ２３０において、移動無線ネットワーク１００は可能性のある接続の評価された品質と要求されたサービスに必要とされる品質との比較を行う。このステップにおいて、適切なときに、チャネルの候補のどの一部が同じ搬送波の現存する接続の品質を受容可能なもの以下に落とすことなくその要求されたサービスのために取り分けることができるのかについての情報もまた考慮されても良い。別の可能性は、ＭＳ１１０に要求された品質についての情報を提供し、ＭＳ１１０にステップ２３０で比較をさせることである。ステップ２３５では、測定された品質が要求されたサービスに対して十分であるかどうかが決定される。もし、十分でないなら、ステップ２４５に入り、そこでは、品質測定結果が呼記録レジスタ（ＣＲＲ）４００に入力される。もし、ステップ２３５での比較結果が、その品質が十分であることを示すなら、そのとき、ステップ２４０に入る。
　
　ステップ２４０において、他のセルでの既存の接続に対するチャネル候補による無線接続の干渉による影響の度合いが評価される。そのような影響は主として同じ周波数を用いた接続での干渉による影響が原因となる。この干渉の評価はいくつかの異なる方法でなされ、その内の最も簡単なものは地形図を研究し、これをセル計画と比較することである。より精密な方法であり、より正確な方法は、セル間の相互依存性のマトリクスを用いることであり、その方法は後で詳細に説明する。ステップ２４０が終わると、ステップ２４５に入り、品質測定の結果と影響度評価とがＣＲＲ４００に登録される。
　
　ステップ２５０において、これまでのステップにおいて収集された情報が用いられて、もしあれば、どの無線チャネルがＭＳ１１０に割当てられねばならないのかを決定する。例えば、割当てられたチャネルはＭＳ１１０に十分な無線品質と要求されたサービスに対する情報搬送能力を提供し、新しい接続の影響が受容可能なもの以下にまで存在する接続のいずれの品質をも低下させるべきではないとの考慮がなされる。例えば、十分な品質を与える別のチャネルがあるなら、音声接続の品質は必要以上の無線リンク品質から益を得ることはないので、最上の品質のチャネルを音声接続に利用しないことによって、必要以上の良い資源を用いることも回避される。それ故に、最上の品質のチャネルは、近い将来のデータ接続要求のためにとっておくことができる。ステップ２５０では、ＭＳ１１０に割当てるためにリストには適切なチャネルがないとの判断がなされるかもしれない。そのとき、別のリストがＭＳに提供されて、図２の手順が繰り返されるか、或いは、ＭＳ１１０は移動無線ネットワークにアクセスすることが拒否される。既存の接続に比較して要求されたサービスの優先度に依存して、ＭＳ１１０のために存在している接続の１つをクローズするという決定もなされ得る。
　
　図２で呈示されたステップは図２に呈示されたその順番で正確に実行されねばならなくはない。上述のように、一度に、１つの候補に対して全てのステップを実行する代わりに、全てのチャネルの候補に対して１つのステップを実行することも、あり得る実施形態である。さらに、登録ステップ２４５は品質測定ステップ２２５の後に部分的に、比較ステップ２２５の後に部分的に、影響度評価ステップ２４５の後に部分的に実行されても良い。ある者は、品質測定ステップ２２５等の前に影響度評価ステップ２４０を実行することもできる。（対応日本語公報第１０ページ【００１７】〜第１５ページ【００２７】））
　
２．引用発明
　上記の記載によれば，引用例には次の発明（以下「引用発明」という。）が記載されている。
　
　移動無線システムにおいてユーザに無線チャネルを割当てる装置に関し，
  移動局（ＭＳ）１１０は無線リンク１１５を用いて無線基地局（ＢＴＳ）１２０を介してその移動無線ネットワーク内で通信を行い，
　ＭＳ１１０は連続的にアイドルモードとアクティブモードの両方で，周辺のＢＴＳの信号についての測定を行い，アイドルモードでは，ＭＳ１１０は測定結果を用いて公知の技術に従ってどのチャネルを用いるべきなのかを決定し，アクティブモードでは，呼のセットアップの場合，測定結果は制御チャネルで基地局制御局（ＢＳＣ）１２５に送られて，ＢＳＣ１２５ではその結果を決定プロセスにおいて使用し，
　ステップ２１０では，無線チャネルの候補のリストがＭＳ１１０に提供され，このリストは移動体が保持する情報を参照することによって獲得されたり，或いは移動無線ネットワークによってＭＳ１１０に送信され，
　ステップ２２５では，ＭＳ１１０は，チャネル候補の無線品質の測定を実行し，その測定結果はそれから移動無線ネットワーク１００に送信される
　ユーザに無線チャネルを割当てる装置。
　
　
第４　対比
　
　本願発明と引用発明を比較する。
　
・引用発明の「無線基地局（ＢＴＳ）」は本願発明の「基地局」に相当し，基地局が「受信機」及び「送信機」を備えることは当然である。
　
・移動無線通信システムにおいて，移動局がアクティブモードの場合に，基地局からダウンリンクデータを移動局が受信することは技術常識であり，引用発明において，基地局制御局から該ダウンリンクデータを基地局が受信することは当然である。
　
・引用発明では，無線チャネルの候補のリストがＭＳ１１０に提供されることにより，ＭＳ１１０は，チャネル候補の無線品質の測定を実行し，その測定結果は移動無線ネットワーク１００に送信されるのである。
　ここにおいて，「チャネル候補の無線品質の測定」は本願発明の「チャネル品質（ＣＱ）測定」に相当する。
　そうすると，引用発明において「無線チャネルの候補のリストがＭＳ１１０に提供」することは本願発明の「チャネル品質（ＣＱ）測定を行なう要求を送信する」といえる。そして，引用発明の無線基地局が，「測定結果」を受信することは明白であり，その受信が「無線チャネルの候補のリストがＭＳ１１０に提供」することに応答していることは当然である。
　
・引用発明は，ＭＳ１１０が，チャネル候補の無線品質の測定を実行し，その測定結果はそれから移動無線ネットワーク１００に送信され，ユーザに無線チャネルを割当てるのである。
　ここにおいて，「無線チャネル」は本願発明の「無線リソース」に相当し，引用発明の「無線基地局」が，割当てに従ってダウンリンクデータを移動局に送信することは当然である。
　
　
　以上から，本願発明と引用発明は次の点で一致・相違する。
　
＜一致点＞
　ダウンリンクデータを受信するように構成された受信機と、
　チャネル品質（ＣＱ）測定を行なう要求を送信するよう構成された送信機とを備え、
　前記受信機は、前記要求に応答して、ＣＱ測定結果を受信するようさらに構成されており、
　前記送信機は、前記ＣＱ測定結果に応答して、前記無線リソースの割当に従って前記受信されたダウンリンクデータを送信するようさらに構成されていること
　を特徴とする基地局。
　
＜相違点＞
　本願発明も引用発明もともに基地局の「送信機」が，ＣＱ測定結果に応答して、無線リソースの割当に従って受信されたダウンリンクデータを送信するようさらに構成されている，のに対して，引用発明の基地局の送信機では「無線リソースの割当をシグナリング」することについての記載がない点。
　
　
第５　当審の判断
　
　＜相違点＞について検討する。
　引用発明においても，基地局に備えられた送信機は，ユーザ，すなわち，移動局に割当てられた無線リソースに従ってダウンリンクデータを送信するのであるから，基地局と移動局との間で無線リソースの情報のやり取りを事前に行わなければならないことは当然である。
　そして，端末同士が制御信号の情報等のやり取りの規定は「シグナリング」といわれるので，基地局から割当てられた「無線リソース」の情報を移動局にシグナリングするようにするようにして，相違点のように構成することは，当業者が容易になし得た事項に過ぎない。
　
　そして，本願発明（平成２１年８月１７日付け手続補正書の特許請求の範囲の請求項１５に係る発明）のように構成したことによる効果も，引用発明から予測できる程度のものである。
　
　したがって，本願発明は，引用発明に基づいて，当業者が容易に発明をすることができたものである。
　
　
第６　まとめ
　
　以上のとおりであるから，本願発明は，特許法第２９条第２項の規定に該当し，特許を受けることができない。
　したがって，他の請求項について論及するまでもなく，本願は拒絶すべきものである。
　
　よって，結論のとおり審決する。